(57)【要約】【課題】配管用ダクトの建築物への接続構造において接続具を保護するための保護カバーの、施工時の作業性を向上させる。【解決手段】建築物に形成された開口部に配管用ダクトを接続するための接続具（７０）の上方を覆う庇状の保護カバー（１）は、開口部及びこれに取り付けられる接続具（７０）の周囲に固定される枠体（２）と、枠体（２）に対して着脱自在に取り付けられるカバー体（４）とを備える。枠体（２）に設けられた被係合部（２４）とカバー体（４）に設けられた係合部（４２）とが係合した状態で、枠体（２）とカバー体（４）とが両側部において固定具を用いて固定されている。【選択図】図７
2020172980.tif 000002
【特許請求の範囲】
【請求項１】
建築物に形成された開口部に配管用ダクトを接続するための接続具の上方を覆う庇状の保護カバーであって、
前記建築物における前記開口部及びこれに取り付けられる前記接続具の周囲に固定される枠体と、
前記枠体に対して着脱自在に取り付けられるカバー体と、を備え、
前記枠体の上部に設けられた被係合部と前記カバー体に設けられた係合部とが係合した状態で、前記枠体と前記カバー体とが両側部において固定具を用いて固定されている保護カバー。
【請求項２】
前記枠体の前記被係合部に対して、前記カバー体の前記係合部が上方から係合している請求項１に記載の保護カバー。
【請求項３】
前記枠体は、前記開口部の上側に固定される上枠部を有し、
前記カバー体は、前記上枠部に対して上下に対向して配置される天面部を有し、
前記上枠部の前端部が鋭角に折り返されて前記被係合部が構成され、前記天面部の後端部が鋭角に折り返されて前記係合部が構成されている請求項１又は２に記載の保護カバー。
【発明の詳細な説明】
【技術分野】
【０００１】
本発明は、保護カバーに関する。
【背景技術】
【０００２】
例えばビル等の建築物において、空調設備の室外機を屋上に配設し、当該室外機と各部屋に配設された室内機とを配管で接続する場合がある。このような場合、空調設備用の配管は、建築物に形成された開口部を通って室外から室内に導入される。配管は、室外側では外観及び保護の観点から配管用ダクト内に収容されて用いられることが多く、この場合、建築物に形成された開口部に配管用ダクトを接続するため、接続具が用いられる。このような接続具を用いた配管用ダクトの建築物への接続構造の一例が、特開２０１７−２１１０３８号公報（特許文献１）に開示されている。
【０００３】
特許文献１の接続構造では、室内側への雨水の侵入を抑制するため、建築物と接続具との間にコーキング処理が施されている。そして、そのコーキング材を雨風や直射日光から保護するために、庇状の保護カバー（フード状カバー２０）が用いられている。保護カバーは、枠体（枠体２１）と、その枠体に対して着脱自在に取り付けられるカバー体（屋根体２２）とを備えている。枠体とカバー体とは、上部及び両側部において固定具（ボルト２６）を用いて固定されている。
【０００４】
しかし、このような構造では、施工時にカバー体の天面部（延設部２１ｃ）においても複数箇所での固定具の締付操作が必要であり、手間がかかる。また、固定具の締付操作を行うに際して、枠体からカバー体が脱落しないようにカバー体を支えながら作業を行う必要があり、この点からも作業に手間取っていた。
【先行技術文献】
【特許文献】
【０００５】
【特許文献１】特開２０１７−２１１０３８号公報
【発明の概要】
【発明が解決しようとする課題】
【０００６】
配管用ダクトの建築物への接続構造において接続具を保護するための保護カバーの、施工時の作業性を向上させることが望まれている。
【課題を解決するための手段】
【０００７】
本発明に係る保護カバーは、
建築物に形成された開口部に配管用ダクトを接続するための接続具の上方を覆う庇状の保護カバーであって、
前記建築物における前記開口部及びこれに取り付けられる前記接続具の周囲に固定される枠体と、
前記枠体に対して着脱自在に取り付けられるカバー体と、を備え、
前記枠体の上部に設けられた被係合部と前記カバー体に設けられた係合部とが係合した状態で、前記枠体と前記カバー体とが両側部において固定具を用いて固定されている。
【０００８】
この構成によれば、固定具を用いた最終固定の前段階で、枠体の被係合部とカバー体の係合部とを係合させた状態で、カバー体を仮設置することができる。このカバー体の仮設置状態で、作業者は、両手を使いながら固定具の締付操作を行うことができるので、最終固定のための作業を容易に行うことができる。また、枠体の上部では被係合部と係合部との係合によってカバー体を支持するので、固定具を用いて固定するのを枠体の両側部だけとすることができる。よって、最終固定のために締付操作を行うべき固定具の個数を少なく抑えることができる。これらが相俟って、保護カバーの施工時の作業性を向上させることができる。
【０００９】
以下、本発明の好適な態様について説明する。但し、以下に記載する好適な態様例によって、本発明の範囲が限定される訳ではない。
【００１０】
一態様として、
前記枠体の前記被係合部に対して、前記カバー体の前記係合部が上方から係合していることが好ましい。
【００１１】
この構成によれば、簡易な構造で確実性高く、仮設置状態でのカバー体の脱落を防止することができる。また、カバー体の本体部によって被係合部と係合部との係合部位が隠蔽されるので、外観を良好に維持することができる。
【００１２】
一態様として、
前記枠体は、前記開口部の上側に固定される上枠部を有し、
前記カバー体は、前記上枠部に対して上下に対向して配置される天面部を有し、
前記上枠部の前端部が鋭角に折り返されて前記被係合部が構成され、前記天面部の後端部が鋭角に折り返されて前記係合部が構成されていることが好ましい。
【００１３】
この構成によれば、上下に対向して配置される枠体の上枠部とカバー体の天面部とをそれぞれ端部で鋭角に折り返すだけの簡易な構造で、互いに係合する被係合部と係合部とを適切に構成できる。枠体やカバー体は金属製の薄板を用いて製造される場合が多く、そのような場合にも簡単な折り曲げ加工で容易に被係合部と係合部とを構成でき、製造コストの低減を図ることができる。
【００１４】
本発明のさらなる特徴と利点は、図面を参照して記述する以下の例示的かつ非限定的な実施形態の説明によってより明確になるであろう。
【図面の簡単な説明】
【００１５】
【図１】配管用ダクトの建築物への接続構造の斜視図
【図２】配管用ダクトの建築物への接続構造の分解斜視図
【図３】枠体の斜視図
【図４】枠体の斜視図
【図５】カバー体の斜視図
【図６】カバー体の斜視図
【図７】保護カバーの断面図
【発明を実施するための形態】
【００１６】
保護カバーの実施形態について、図面を参照して説明する。本実施形態の保護カバー１は、例えばビル空調システムにおいて、建築物９０に形成された開口部９２に配管用ダクト８０を接続するための接続具７０を保護するために使用される。この保護カバー１は、図１及び図２に示すように、庇状に形成されており、接続具７０の上方を覆うように配置される。
【００１７】
図１に示すように、本実施形態のビル空調システムでは、室外機９５がビルの屋上に配設され、当該室外機９５と各部屋に配設された室内機とが配管で接続されている。配管は、ビルの屋上に設置された例えばハト小屋等の建築物９０の壁部９１に形成された開口部９２を通って、室外から室内に導入されている。配管は、外観を良好に維持するとともに日光や雨風からの保護を図るとの観点から、室外側では配管用ダクト８０内に収容されて用いられている。配管用ダクト８０は、一対の側板８１と、その上方を覆うようにそれらに亘って固定された天板８２とを備えている（図２を参照）。この配管用ダクト８０は、接続具７０を用いて建築物９０の開口部９２に接続されている。
【００１８】
図２に示すように、本実施形態の接続具７０は、建築物９０の壁部９１に固定される止水プレート７１と、この止水プレート７１を介して壁部９１に固定されるウォールカバー７６とを備えている。また、壁部９１と止水プレート７１との間に、パッキンが介在される等しても良い。
【００１９】
止水プレート７１は、壁部９１に沿う平板状に形成される取付板部７２と、取付板部７２の中央部において当該取付板部７２から壁部９１とは反対側に突出する筒状部７４とを有する。取付板部７２の上端縁及び両側縁には断面矩形状の溝部７３が形成されており（図７を参照）、この溝部７３にコーキング材Ｃが充填されている。このようなコーキング処理を施すことで、建築物９０の室内側への雨水の侵入を抑制することができる。筒状部７４は、止水プレート７１が壁部９１に固定された状態で、その内部空間が開口部９２に連通するように配置される。また、筒状部７４の内部空間に、配管用ダクト８０の一端が挿入される。
【００２０】
ウォールカバー７６は、配管用ダクト８０及び筒状部７４の外周を覆うように配設される。ウォールカバー７６は、止水プレート７１に沿う平板状に形成されるフランジ部７７と、フランジ部７７から止水プレート７１（及び壁部９１）とは反対側に突出する筒状部７８とを有する。筒状部７８は、止水プレート７１の筒状部７４よりもひとまわり大きく形成されており、この筒状部７８にて、配管用ダクト８０及び筒状部７４の外周を覆う。また、ウォールカバー７６は、本実施形態では上部カバー７６Ａと下部カバー７６Ｂとを有している。このような分割構造を有することで、配管用ダクト８０が接続された状態の止水プレート７１に対して、事後的にウォールカバー７６を取り付けることができる。
【００２１】
保護カバー１は、建築物９０の壁部９１に固定される枠体２と、この枠体２に対して着脱自在に取り付けられるカバー体４とを備えている。カバー体４は、固定具６を用いて枠体２に対して固定した状態と、固定具６を取り外した状態で枠体２から分離可能な状態との両方の状態を取り得る。なお、固定具６は、例えば対をなすボルト及びナットであっても良いし、ナットに相当する部位が枠体２に設けられていれば、ボルト単独又はビス等であっても良い。本実施形態では、固定具６としてビスを用いている。
【００２２】
枠体２は、壁部９１に形成された開口部９２及びこれに取り付けられる接続具７０（止水プレート７１及びウォールカバー７６）の周囲に固定される。枠体２は、開口部９２及び接続具７０の周囲における上部領域に固定される。図３及び図４に示すように、枠体２は、開口部９２の上部を当該開口部９２の幅方向に沿って延びる上枠部２１と、上枠部２１の両端部において下方側に向かって延びる一対の側枠部２６とを有している。
【００２３】
上枠部２１は、壁部９１に取り付けられる平板状の上取付面部２２と、この上取付面部２２から立設された上板部２３とを有する。上板部２３は、上取付面部２２に対して交差（本例では直交）しており、枠体２が壁部９１に固定された状態で、開口部９２の上側において略水平となる姿勢で配置される。上枠部２１を構成する上取付面部２２の前端部は、鋭角に折り返されている。この折り返しによる角度は、９０°未満であれば特に限定されないが、例えば１５°〜７５°の範囲内の任意の角度とすることができ、３０°〜６０°であることが好ましい。本実施形態では、折り返し角は４５°に設定されている。そして、この上取付面部２２の折り返された前端部により、被係合部２４が構成されている。
【００２４】
側枠部２６は、壁部９１に取り付けられる平板状の横取付面部２７と、この横取付面部２７から立設された側板部２８とを有する。側板部２８は、横取付面部２７に対して交差（本例では直交）しており、枠体２が壁部９１に固定された状態で、開口部９２の上部領域における両側部において、略鉛直となる姿勢で配置される。側板部２８には、固定具６としてのビスを固定するための被固定部２９が設けられている。この場合の被固定部２９は、内面に雌ネジが切られた丸孔とすることができる。
【００２５】
図５及び図６に示すように、枠体２に対して着脱自在に取り付けられるカバー体４は、枠体２の上枠部２１に沿って延びる天面部４１と、天面部４１から下方に延びる斜行面部４３と、斜行面部４３からさらに下方に延びる前面部４４と、これらの両端部において下方側に向かって延びる一対の側面部４６とを有している。
【００２６】
天面部４１は、上枠部２１に対して上下に対向して配置される。天面部４１は、全体として板状に形成されているとともに、その後端部が鋭角に折り返されている。この折り返しによる角度は、９０°未満であれば特に限定されないが、例えば１５°〜７５°の範囲内の任意の角度とすることができ、３０°〜６０°であることが好ましい。また、枠体２の上取付面部２２の前端部の折り返し角と同じ角度であることが好ましく、本実施形態では、折り返し角は４５°に設定されている。そして、この天面部４１の折り返された後端部により、係合部４２が構成されている。係合部４２は、枠体２に設けられた被係合部２４に係合する。
【００２７】
斜行面部４３は、天面部４１の全幅において下方に延びている。斜行面部４３は、下方に向かうに従って次第に前方に突出するように配置される。前面部４４は、天面部４１及び斜行面部４３の全幅において下方に延びている。前面部４４は、鉛直姿勢で配置される。前面部４４の下端部は、１８０°折り返されている。この折返部４５は、例えばヘミング曲げ等によって形成することができる。このような折返部４５を設けることで、前面部４４の下端縁が丸みを帯びた形状となり、作業者がカバー体４を把持して作業を行う際の安全性が高められている。
【００２８】
側面部４６は、側面視で、天面部４１〜斜行面部４３〜前面部４４を斜辺とする直角三角形状に形成されている。側面部４６は、枠体２を構成する側枠部２６の側板部２８の外側に、当該側板部２８と重なるように配置される。側面部４６には、固定具６としてのビスの軸部が挿通するための挿通孔４７が設けられている。挿通孔４７は、カバー体４が枠体２に取り付けられた状態で、側板部２８に設けられた被固定部２９と重複する位置に形成されている。そして、この挿通孔４７に挿通される固定具６が側板部２８の被固定部２９に螺合して、枠体２とカバー体４とが両側部において固定具６を用いて固定される（図２を参照）。
【００２９】
本実施形態では、枠体２とカバー体４とは、両側部（側板部２８及び側面部４６）でのみ固定具６を用いて固定されており、それ以外の部位では固定のために固定具６は用いられていない。枠体２とカバー体４とは、上部（上枠部２１及び天面部４１）では、固定具６を用いる代わりに、枠体２に設けられた被係合部２４とカバー体４に設けられた係合部４２とが係合している。すなわち、枠体２とカバー体４とは、枠体２の被係合部２４とカバー体４の係合部４２とが係合した状態で、両側部において固定具６を用いて固定されている。
【００３０】
枠体２の上部では被係合部２４と係合部４２との係合によってカバー体４を支持しており、固定具６を用いていないので、締付操作を行うべき固定具６の個数を少なく抑えることができる。本実施形態では、両側部においてそれぞれ２つずつ、計４つの固定具６だけで、枠体２とカバー体４とが固定されている。固定具６の個数がかなり少ないので、保護カバー１の施工時の作業性がとても良好である。
【００３１】
このとき、枠体２の被係合部２４は上取付面部２２の前端部を鋭角（本例では４５°）に折り返して構成され、カバー体４の係合部４２は天面部４１の後端部を鋭角（本例では被係合部２４と同じ４５°）に折り返して構成されている。このため、図７に示すように被係合部２４と係合部４２とは互いに面接触する状態で鉤状にしっかりと係合し、これにより、カバー体４の重量の一部がしっかりと支持されている。よって、固定のために用いる固定具６の個数を少なく抑えながらも、枠体２とカバー体４とを強固に固定することができる。
【００３２】
また、枠体２において上向きに屈曲した被係合部２４に対して、カバー体４において下向きに屈曲した係合部４２が、天面部４１の下面側において上方から係合している。このため、最終取付状態においては、被係合部２４と係合部４２との係合部位が天面部４１及び斜行面部４３によって隠蔽される。よって、保護カバー１の外観を良好に維持することができる。
【００３３】
さらに本実施形態では、枠体２の被係合部２４とカバー体４の係合部４２とが係合することで、固定具６を用いた最終固定の前段階で、枠体２に対してカバー体４を仮設置することができる。このカバー体４の仮設置状態で、作業者は、両手を使いながら固定具６の締付操作を行うことができるので、最終固定のための作業を容易に行うことができる。よって、固定のために用いる固定具６の個数が少なく抑えられることとの相乗効果もあって、保護カバー１の施工時の作業性を大きく向上させることができる。
【００３４】
〔その他の実施形態〕
（１）上記の実施形態では、枠体２の被係合部２４及びカバー体４の係合部４２がいずれも全幅に亘って連続するように形成されている構成を例として説明した。しかし、そのような構成に限定されることなく、例えばそれらのうちの少なくとも一方が、幅方向に断続的に形成されても良い。被係合部２４及び係合部４２の両方が断続的に形成される場合には、これらは、少なくとも一部どうしが係合する位置に設けられ、互いに対応する位置に設けられることが好ましい。
【００３５】
（２）上記の実施形態では、枠体２に設けられた被係合部２４に対して、カバー体４に設けられた係合部４２が天面部４１の下面側において上方から係合している構成を例として説明した。しかし、そのような構成に限定されることなく、例えば枠体２に設けられた被係合部２４に対して、カバー体４に設けられた係合部４２が天面部４１の上面側において下方から係合しても良い。
【００３６】
（３）上記の実施形態では、保護カバー１に対しては何らコーキング処理が施されない構成を例として説明した。しかし、そのような構成に限定されることなく、保護カバー１に対してコーキング処理が施されても良い。この場合、例えば上記の実施形態において、建築物９０の壁部９１と枠体２を構成する上枠部２１の上板部２３とに亘ってそれらの隅部にコーキング材Ｃが塗布されても良い。
【００３７】
（４）上記の実施形態では、保護カバー１による保護対象の接続具７０が止水プレート７１とウォールカバー７６とを備える構成を例として説明した。しかし、そのような構成に限定されることなく、保護カバー１は、例えば止水プレート７１のみからなる接続具７０を保護するものであっても良い。
【００３８】
（５）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００３９】
１        保護カバー
２        枠体
４        カバー体
６        固定具
２１      上枠部
２４      被係合部
４１      天面部
４２      係合部
７０      接続具
７１      止水プレート
７６      ウォールカバー
８０      配管用ダクト
９０      建築物
９２      開口部
【図１】
2020172980.tif 000003
【図２】
2020172980.tif 000004
【図３】
2020172980.tif 000005
【図４】
2020172980.tif 000006
【図５】
2020172980.tif 000007
【図６】
2020172980.tif 000008
【図７】
2020172980.tif 000009
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
建築物に形成された開口部に配管用ダクトを接続するための接続具の上方を覆う庇状の保護カバーであって、
前記建築物における前記開口部及びこれに取り付けられる前記接続具の周囲に固定される枠体と、
前記枠体に対して着脱自在に取り付けられるカバー体と、を備え、
前記枠体は、前記開口部の上側に固定される上枠部を有し、
前記カバー体は、前記上枠部に対して上下に対向して配置される天面部を有し、
前記枠体の上部に設けられた被係合部と前記カバー体に設けられた係合部とが係合した状態で、前記枠体と前記カバー体とが両側部において固定具を用いて固定され、
前記上枠部の前端部が鋭角に折り返されて前記被係合部が構成され、前記天面部の後端部が鋭角に折り返されて前記係合部が構成され、
前記被係合部と前記係合部とのそれぞれは、互いに面接触する平坦面を有している保護カバー。
【請求項２】
前記枠体は、前記両側部のそれぞれに、前記固定具を固定するための被固定部が形成された側板部を備え、
一対の前記側板部のそれぞれは、その後端部が前記建築物の壁部に当接すると共にその前端部が前記壁部から水平方向に離間するように配置され、
前記被係合部と前記係合部との係合位置と、前記カバー体と前記枠体とを前記固定具により固定するための固定位置となる前記被固定部の位置とが、前記水平方向における同じ位置に配置され、
前記被固定部は、前記側板部において、前記後端部よりも前記前端部に近い位置に配置されている請求項１に記載の保護カバー。
【請求項３】
前記枠体の前記被係合部に対して、前記カバー体の前記係合部が上方から係合している請求項１又は２に記載の保護カバー。